(57)【要約】 【課題】芳香材料を基材に付着させたりする構成では、臭いの種類毎に転写テープの原反を用意する必要があり、売れ行きの悪い種類の原反のロスが生じる点、及び筐体構造を改良して芳香機能を設ける構成では、既に製造・販売している構成に容易に採用できず、全体のコストアップを招く点、を解消する。【解決手段】送出コア４（送出軸部）、転写テープ３のエンド部１ａ（巻装開始端）、のうちの少なくともいずれかに、芳香部５を設けることとした。【効果】芳香部は既存の部材である送出軸に例えば塗布するなどして構成すればよいので、一方、転写テープの巻装開始端に芳香部を設ける場合は送出軸に転写テープを巻装する毎に芳香部を設ければよいので、いずれにしても原反を用意する必要がないと共に送出軸部の形状等の改良を行う必要もなく、無駄が省ける。【選択図】  図１
2009039939.tif 000002
【特許請求の範囲】
【請求項１】
基材に転写媒体を塗布した転写テープを巻装した送出軸部と、この送出軸部から搬送される転写テープの転写媒体を被転写体に転写する転写部と、この転写部を通過した後の基材を巻き取る巻取軸部と、を筐体に備えた転写具において、前記送出軸部、前記転写テープの巻装開始端、のうちの少なくともいずれかに、芳香部を設けたことを特徴とする芳香転写具。
【請求項２】
芳香部が緩衝材料とされ、送出軸部の外周と転写テープの巻装開始端との間に介在させたことを特徴とする請求項１記載の芳香転写具。
【請求項３】
巻取軸部に基材を全て巻き取った際に、新たな送出軸部及び巻取軸部に取り替える構成としたことを特徴とする請求項１又は２記載の芳香転写具。
【発明の詳細な説明】
【技術分野】
【０００１】
本発明は、多種類の臭い毎に転写テープの原反を用意する必要がなく、また、既存の構成を流用して無駄なく臭いが香る構成とすることができる芳香転写具に関する。
【背景技術】
【０００２】
基材に塗布された塗膜を紙などの被転写体に転写する転写具において、用途に応じて塗膜には種類が存在する。粘着タイプの塗膜は、被転写体に貼着体を貼り合わせるために、両面に粘着性を有している。修正タイプの塗膜は、転写された被転写体上の文字等を覆って修正するために、不透過性で白色等の着色が施されている。マーカータイプの塗膜は、被転写体上の文字等を際立たせるために、透過性の着色が施されている。
【０００３】
上記した用途の多様化は、あくまで転写具という範疇におけるものであるが、近年の市場では、転写具の高機能化や高品質化並びに多種多様化に伴って、自社商品へユーザーを誘導すべく、様々な趣向、例えば良い臭いが香るなどして自他商品との差別化や商品アピールを行うようになってきている。例えば臭いが香る構成とされた転写具としては以下の文献が存在している。
【０００４】
【特許文献１】特開２０００−２１９４１４公報
【特許文献２】特開２００４−４２９４３公報
【特許文献３】特開２００４−２３０５６公報
【０００５】
特許文献１は、臭いが香るように、基材の片面又は両面に大きさ数百ミクロン以下の香料カプセルを付着させる構成である。特許文献２は、表面形成層、マーク配列層、感圧粘着剤層からなるマーク配列層の構成材料に芳香成分を含有させる構成である。特許文献３は、筐体内における基材の送出軸と巻取軸との間に、芳香性粉体を収納すると共に、搬送される基材に向けて噴射する機能付与装置を設ける構成である。
【発明の開示】
【発明が解決しようとする課題】
【０００６】
しかしながら、上記特許文献１〜３には、以下の問題点が存在する。すなわち、特許文献１及び特許文献２は、製品とする転写具に用いる基材の長さ分だけ芳香材料を付着させたり含有させているので、特別な基材を用意したり、加工の手間を要するうえに多種類の芳香材料を用意した場合、その種類分だけ転写媒体を塗布した基材の原反（送出軸に巻装する前の転写テープの巻装体）を用意する必要があり、そして、その多種類のうち売れ行きの悪い臭いの種類については原反自体が大きなロスとなる。
【０００７】
特許文献３は、基材の搬送に伴って機能付与装置により芳香材料を噴射する点で、原反及び製品時の転写媒体を塗布した基材は通常の（何らの加工が施されていない）ものでよいから上記特許文献１及び特許文献２のようなロスは生じないものの、機能付与装置の構成自体が複雑であるため、既に製造・販売している筐体に採用することができず、結果的に、機能付与装置を転写具に設ける構成とする分だけ全体のコストアップを招くこととなる。
【０００８】
本発明が解決しようとする問題点は、特許文献１及び特許文献２のように芳香材料を基材に付着させたり含有する構成では、通常の基材のままでは製造できず、多種類の臭いを用意すると売れ行きの悪い種類の原反のロスが生じる点、及び特許文献３のように筐体構造を改良して機能付与装置を設ける構成では、既に製造・販売している筐体に採用できず、全体のコストアップを招く点、である。
【課題を解決するための手段】
【０００９】
上記課題を解決するために、本発明の芳香転写具は、基材に転写媒体を塗布した転写テープを巻装した送出軸部と、この送出軸部から搬送される転写テープの転写媒体を被転写体に転写する転写部と、この転写部を通過した後の基材を巻き取る巻取軸部と、を筐体に備えた転写具において、送出軸部、転写テープの巻装開始端、のうちの少なくともいずれかに、芳香部を設けることとした。
【発明の効果】
【００１０】
本発明に係る芳香転写具は、芳香部を、送出軸部、転写テープの巻装開始端、の少なくともいずれかに設けている。まず、「送出軸部」に芳香部を設けるとは、送出軸自体の全体又は一部、送出軸を構成する他の部材も含むことを意味する。例えば送出軸が紙管である場合は芳香材料を含有させた部位又は全体が芳香部となる。また、例えば送出軸における転写テープ巻装端面と送出軸を接続する接続シートに芳香加工を施したならば、該シートが芳香部となる。
【００１１】
また、「転写テープの巻装開始端」に芳香部を設けるとは、製品加工時に転写テープを送出軸に巻き取る際において、該転写テープを該送出軸に架け渡す端部に芳香部を設けることを意味する。つまり、連続する転写テープの基材や転写媒体自体には芳香部は設けないという意味である。
【００１２】
このように、「送出軸部」、「転写テープの巻装開始端」の少なくともいずれかに芳香部を設けることにより、転写テープの原反は基材も転写媒体も何ら加工を要することがなく、よって臭いの種類毎に原反を用意する必要もなく、また、既存の製品中のそもそも存在している部材を流用しているから、例えば筐体や部材の金型変更するなどの必要がなく、売れ行きに応じて無駄なく臭いの種類毎の製品を製造することができる。
【発明を実施するための最良の形態】
【００１３】
本発明は、以下の第１〜第４形態により実施可能である。図１〜図３は第１形態を、図４は第２形態を、図５及び図６は第３形態を、各々示す。なお、第４形態は図示しないで説明する。なお、第１形態において基本的で共通した構成について説明し、第２形態以降については、各々、比較対象となる各形態との相違構成についてのみ説明する。
【００１４】
（第１形態）
第１形態における芳香転写具は、基材１上に転写媒体２が設けられた転写テープ３を巻装するための送出軸としての送出コア４と、以下、不図示であるが、この送出コア４から送り出された転写テープ３のうち転写媒体２を被転写体に転写する転写部と、この転写部を通過した基材１を巻き取る巻取軸としての巻取コアと、これらを収納する筐体とを備えている。
【００１５】
図１〜図３に示す第１形態においては、送出コア４に芳香部５を設けている。送出コア４における芳香部５は、例えば、図１に示すように、図１（ａ）においては送出コア４の内周面に芳香材料を塗布することで、図１（ｂ）においては送出コア４の外周面に芳香材料を塗布することで、図１（ｃ）においては送出コア４の端面に芳香材料を塗布することで、構成している。これら図１（ａ）〜（ｃ）に示した芳香部５は送出コア４に塗布して構成することに限らず、シート状の芳香部５を貼着したり、噴霧することで構成しても構わない。
【００１６】
図１（ｄ）は、例えば、紙製の送出コア４を芳香材料の溶液に浸して内外周及び端面、つまり送出コア４全体が芳香部５とされるよう構成した例を示す。この図１（ｄ）に示した芳香部５は芳香材料の溶液に浸して構成するに限らず、芳香材料の噴霧空間を通過させることで構成しても構わない。
【００１７】
図２は、例えば、送出コア４に巻装した転写テープ３の巻姿が崩れないようにガイドするシート状のガイドフィルム４Ａの、本例では例えば転写テープ３側の面に芳香材料を塗布することで芳香部５を構成した例を示す。
【００１８】
図３は、例えば送出コア４に予め緩衝体４Ｂを設けている場合において、この緩衝体４Ｂ自体を芳香部５として構成する例を示す。もちろん、芳香部５は、緩衝体４Ｂの表面（外周側）又は裏面（内周側）、あるいは表裏両面において構成しても構わない。なお、図３中、１ａは、基材１において転写媒体２の塗布されていないエンド部であり、Ｔは、送出コア４とエンド部１ａなどを接続するための接続テープである。
【００１９】
また、図示しないが、転写テープ３（基材１、エンド部１ａのみを含む）におけるコア４への巻装端と該コア４とを接続する際に、例えば粘着剤や両面接続テープを介在させて接続する場合、また、例えば片面接続テープにより接続する場合、はそれら粘着剤や接続テープの粘着剤中に芳香材料を含有させて芳香部５としてもよい。
【００２０】
以上の芳香部５は、いずれも従来製品の既存の部材において構成されているので、転写テープの原反を臭いの種類毎に用意する必要もなく、また、既存の部材に芳香部５を設けているので、芳香用の特別な部材、これを収納するための特別な筐体を用意する必要がない。したがって、売れ行きに応じた臭いの種類を無駄なく製造することができる。
【００２１】
ここで、例えば、筐体や転写部に臭いを付ける、あるいは、芳香材料を含有したシートや綿状体といった特別な部材並びに機構を筐体内に備える構成とした場合の不具合について説明する。後述するように、転写媒体２を使い切って基材１が巻取コアに全て巻き取られた後、新たな転写テープを交換、装填するいわゆる詰替式の転写具であると、筐体や転写部は詰替対象ではないので一度購入した臭いの種類は、他の異なる臭いの種類の製品を購入しない限り、同じ臭いの種類のままとなってしまう。
【００２２】
また、特別な部材並びに機構を筐体内に備える構成では、詰替時に臭いの種類も変更しようとすると、製造側では詰替部材とは別に臭いの種類の部材を別途提供する必要があり、購入側では詰替後のそれまで使っていた送出コア４及び巻取コアを廃棄するにも拘わらず臭いの種類は変えることができず、別途他の臭いの種類の部材を購入しなければならないという不具合が生じる。
【００２３】
こうした不具合に対して、本発明の芳香転写具は、仮に今使用している転写具が詰替式であったならば、詰替作業時に、臭いの種類を変えることもでき（同じ臭いの種類が好みならば同じ臭いの種類の詰替部材を購入すればよい）、別途の芳香のための材料を提供したり購入したりといった無駄を省くことができる。
【００２４】
（第２形態）
図４に示す第２形態は、第１形態における図３に示した緩衝体４Ｂが予め送出コア４に設けられておらず、製造工程において、該送出コア４に転写テープ３を取り付ける際に、該転写テープ３の巻装開始端すなわちエンド部１ａと、送出コア４と、の間に芳香部５を設けた緩衝体４Ｂを介在させる構成である。すなわち、第２形態は、転写テープ３の巻装開始端に芳香部５を設けている点で、送出コア４に芳香部５を設けた第１形態とは異なる。なお、図４に示す緩衝体４Ｂの表面又は裏面、あるいは表裏両面に芳香材料を塗布して芳香部５を構成しても構わない。
【００２５】
なお、緩衝体４Ｂは、例えばプラスチックとしては、ポリウレタン、ポリスチレン、ポリエチレンとする、発泡プラスチックフィルムを用いたり、不織布、ゴムを用いればよい。また、緩衝体Ｃの長さは、少なくともコア４の円周分の長さとされる。
【００２６】
第２形態を採用して好適な転写具の構成としては、緩衝体４Ｂを予め構成に有している場合となるが、この第２形態の構成では臭いの種類毎に転写テープ３の原反を用意しなくてもよいことに加えてさらに送出コア４に対しても何らの加工を必要をしない点でさらに無駄を省くことができる。
【００２７】
（第３形態）
図５及び図６に示す第３形態は、第１形態で示した図３、第２形態で示した図４の各緩衝体４Ｂを有している場合において、これら緩衝体４Ｂにより生じる可能性がある不具合を排除することを目的とした例である。
【００２８】
ここで、緩衝体４Ｂを設ける意味について説明する。転写具のように、転写テープ３を送出コア４に巻装する際には、該転写テープ３に所定のテンション（引っ張り力）をかけつつ送出コア４に巻装する。
【００２９】
このとき、高いテンションをかけて巻装（以下、堅巻きという）することで、同じ巻き径においてシートを多く巻くことができ、かつコアが巻装されたシートから抜けにくくなる。しかし、この堅巻きの場合、巻装中あるいは巻装後に、例えば基材１や送出コア４の熱膨張などの要因で巻締まりが生じた場合には例えば巻装状態にある転写媒体２がその上面に位置する基材１の裏面に移るいわゆるブロッキングが生じるがことがある。
【００３０】
一方、例えば低いテンションにて巻装（以下、緩巻きという）した場合は、上記ブロッキングが抑制されるものの、送出コア４が巻装された転写テープ３から抜けやすく、また、送出コア４だけが空転して転写テープ３が搬送されないといった不具合が生じる。
【００３１】
これら、堅巻きや緩巻きによる不具合抑制のために、緩衝体４Ｂを設けているのであるが、第１形態で示した図３、第２形態で示した図４、の各緩衝体４Ｂは送出コア４に転写テープ３を巻装する際に、転写テープ３に付与するテンションが緩衝体４Ｂによって吸収されて、巻装開始時とそれ以降のテンションが定まない可能性がある。
【００３２】
そこで、第３形態の図５に示す構成では、転写テープ３の巻装開始端となるエンド部１ａは、該基材１と連続的に形成して、エンド部１ａの一方面には転写媒体２が設けられておらず、エンド部１ａの他方面には芳香部５が構成された緩衝体４Ｂを例えば接着されている。図６に示す構成では、図５の構成に対して、エンド部１ａが基材１とは別体とされ、エンド部１ａと基材１とを接続テープＴで接続している点が異なる。
【００３３】
こうすれば、送出コア４に対して、緩衝体４Ｂを伴ってエンド部１ａが接続するから、巻装体の製造開始初期においては、転写テープ３のテンションを直接送出コア４に伝達することができる。したがって、巻装初期段階で所定の適正なテンションを付与しつつ巻装でき、作業性も良好で、送出コア４だけが空転する緩巻きや、ブロッキングが生じる堅巻きの抑制されることとなる。もちろん、本発明の第１及び第２形態と同等の作用効果を得ることもできる。
【００３４】
（第４形態）
第４形態では、構成を図示しないが、本発明を上述した詰替式の転写具に採用した例について説明する。以上第１〜第３形態において説明したように、本発明の芳香転写具は、送出コア４、転写テープ３の巻装開始端、のうちの少なくともいずれかに芳香部５を設けることで、臭いの種類毎に転写テープ３の原反を用意しなくてもよいこと、及び従来品の部材を流用できること、のメリットがある。
【００３５】
芳香部５は、送出コア４、転写テープ３の巻装開始端のうちの少なくともいずれかに設ける意味は、これらが、例えば詰替式の転写具においていずれも詰替の対象部材であることにある。すなわち、第４形態の芳香転写具は、基材１が全て巻き取られた巻取コア及び送出コア４を筐体から取り出し、新たな、転写テープ３が巻装された送出コア４及び巻取コアを筐体に装着することが可能な構成に、第１〜第３形態のいずれかを採用する。
【００３６】
このようにすることで、例えば他の臭いの種類を楽しみたくなった場合には、詰替時に新たな詰替部材を購入する際に臭いの種類を選択すればよく、このとき、該詰替部材とは別に、他の臭いの種類の芳香用の部材を購入する必要がない共に、製造側は芳香用の部材を別途に提供する必要もなく、また、芳香用の部材だけを廃棄する必要もないから、無駄を大きく省くことができる。
【００３７】
なお、芳香部５の構成部位は、上記では、送出コア４、転写テープ３の巻装開始端のうちの一方に設けた例を示したが、少なくともいずれかでよいから、送出コア４、転写テープ３の巻装開始端の両者に設けても構わない。この理由は、両者に設けても臭いの種類毎に転写テープ３の原反を用意しなくてもよく、及び従来品の部材を流用できることに変わりがなく、また、詰替式の転写具である場合には該両者が詰替対象部材だからである。
【００３８】
また、上記では、転写テープ３の巻装開始端の例としては、特に緩衝体４Ｂに芳香部５を構成するようにしていたが、緩衝体４Ｂを有しない転写具に芳香部５を構成するならば、エンド部１ａと基材１とが連続しておらず、エンド部１ａを挟んで該エンド部１ａの一方端と基材１とを、他方端と送出コア４とを、を接続テープＴによって接続する構成における該エンド部１ａに芳香部５を設ければよい。
【図面の簡単な説明】
【００３９】
【図１】（ａ）〜（ｄ）は、本発明の第１形態による芳香転写具における芳香部を構成した送出コアを示す図である。
【図２】本発明の第１形態による芳香転写具における芳香部を構成した送出コア周辺を示す図である。
【図３】本発明の第１形態による芳香転写具における芳香部を構成した送出コア周辺を示す図である。
【図４】本発明の第２形態による芳香転写具における芳香部を構成した転写テープの巻装開始端周辺を示す図である。
【図５】本発明の第３形態による芳香転写具における芳香部を構成した転写テープの巻装開始端周辺を示す図である。
【図６】本発明の第３形態による芳香転写具における芳香部を構成した転写テープの巻装開始端周辺を示す図である。
【符号の説明】
【００４０】
１  基材
１ａ  エンド部（巻装開始端）
２  転写媒体
３  転写テープ
４  送出コア（送出軸）
４Ａ  ガイドフィルム
４Ｂ  緩衝体
５  芳香部
【図１】
2009039939.tif 000003
【図２】
2009039939.tif 000004
【図３】
2009039939.tif 000005
【図４】
2009039939.tif 000006
【図５】
2009039939.tif 000007
【図６】
2009039939.tif 000008